(57)【要約】      （修正有）【課題】フエンス、板塀、コンクリート塀又はブロック塀等を傷つけたり、塗装剥離が生じることなく、これらに固着した蔓状植物を迅速容易に切断除去できるようにすると共に、小型軽量で能率よく、かつ、刃先を刃こぼれさせることなく手軽に作業でき、安価に提供できる蔓状植物の切除具を提供する。【解決手段】鋸刃１０を形成したポリカーボネイト等の厚み０．５〜３．０ミリメートルの硬質合成樹脂薄板１１を１個又は複数個並列に把手２０から突出させたもの。【選択図】図１−１
2010142168.tif 000002
【特許請求の範囲】
【請求項１】
鋸刃１０を形成した硬質合成樹脂薄板１１を１個又は複数個並列に把手２０から突出させたことを特徴とする蔓状植物の切除具。
【請求項２】
前記薄板１１が、ポリカーボネイト等の厚み０．５〜３．０ミリメートルのエンジニアリングプラスチックから形成されていることを特徴とする請求項１記載の蔓状植物の切除具。
【請求項３】
前記鋸刃１０が、刃先を多数の引き切り刃１２又は押し切り刃１２Ｂ又は三角刃１２Ｃから形成されていることを特徴とする請求項１又は２記載の蔓状植物の切除具。
【請求項４】
前記鋸刃１０が、刃先を対向平面に当接してスライドできるようにしたスライド部分１３と前記スライド部分１３より内側に設けた刃部１２とから形成されていることを特徴とする請求項１、２又は３記載の蔓状植物の切除具。
【発明の詳細な説明】
【技術分野】
【０００１】
本発明は、フエンス、板塀、コンクリート塀又はブロック塀等に、巻き付き、又は、絡み付き、又は、附着する等の蔓状植物を、引き又は押しによる切断により除去できるようにした蔓状植物の切除具に関する。
【背景技術】
【０００２】
従来、蔓状植物を切断除去するためには、鎌、鋏等を使用していたが、作業後、フエンス、塀等に切り傷や塗装剥離等を引き起して美感をそこなうほか、作業に長時間の手間がかかり非能率である上に、使用した鎌、鋏等の道具の刃こぼれを生ずる欠点があった。
そこで、本発明者は、硬質合成樹脂薄板を１個又は複数個並べて把手から突出させた切除具を用いて、フエンス、塀等を傷つけることなく、刃こぼれなく、効率よく、蔓状植物を切断除去することに成功し上記問題点を解決した。
【特許文献１】特開２００２−１５３１１１号公報
【発明の開示】
【発明が解決しようとする課題】
【０００３】
本発明は、フエンス、板塀、コンクリート塀又はブロック塀等を傷つけたり、塗装剥離が生じることなく、これらに固着した蔓状植物を切断除去できるようにした蔓状植物の切除具を提供するものである。
また、本発明は、小型軽量で能率よく、かつ、刃先を刃こぼれさせることなく手軽に作業できる蔓状植物を切除具を提供するものである。
さらに、本発明は、製作容易で量産でき、安価に提供できる蔓状植物の切除具を提供するものである。
【課題を解決するための手段】
【０００４】
本発明の蔓状植物の切除具は、請求項１の発明は、上記課題を達成するため、図示するように、鋸刃１０を形成した硬質合成樹脂薄板１１を１個又は複数個並列に把手２０から突出させたものである。
また、本発明の蔓状植物の切除具の請求項２の発明は、上記課題を達成するため、図示するように、請求項１の発明において、薄板１１が、ポリカーボネイト等の厚み０．５〜３．０ミリメートルのエンジニアリングプラスチックから形成されているものである。
また、本発明の蔓状植物の切除具の請求項３の発明は、上記課題を達成するため、図示するように、請求項１又は２の発明において、鋸刃１０が、刃先を多数の引き切り刃１２又は押し切り刃１２Ｂ又は三角刃１２Ｃから形成されているものである。
また、本発明の蔓状植物の切除具の請求項４の発明は、上記課題を達成するため、図示するように、請求項１、２又は３の発明において、鋸刃１０が、刃先を対向平面に当接してスライドできるようにしたスライド部分１３と前記スライド部分１３より内側に設けた刃部１２とから形成されているものである。
本発明において、蔓状植物は、他物に巻き付いたり、絡みついたり付着したりしながら伸びていく植物をいい。その茎（ふじ、つたの類）や巻きひげを有する植物等が含まれる。
また、本発明において、鋸刃を形成するエンジニアリングプラスチック板には、ポリカーボネート、フェノール樹脂、ポリアミド、ポリアミドイド等の衝撃強さ、引張強さ、曲げ強さ、硬度等の大きいプラスチックが使用される。
また、本発明において、鋸刃には、引き切り刃又は押し切り刃又はその中間の三角刃があり、これらは、作業する蔓状植物の種類により選択使用される。
さらにまた、本発明において、鋸刃のスライド部分は、その内側に設けた刃部を保護すると共に、塀等の平面に当接して平面を傷つけたり、塗装剥離しないようにするためのものである。
【発明の効果】
【０００５】
本発明の蔓状植物の切除具は、鋸刃がスライド部とその内側に設けた刃部とからなっているため、フェンス、塀、壁等をスライド部で当接しながら蔓状植物を切除することができ、フェンス、塀、壁等を傷つけたり、塗装を剥離することがなく、また、刃部の刃こぼれなく切断除去ができる。
また、本発明品は、複数の鋸刃を並行して設けることができるので、作業効率がよく、その上、軽量小型で使い易いので、作業能率をあげることができる。
さらに、本発明品は、合成樹脂製の鋸刃を使用するので、製作容易で量産でき、安価に供給することができる。
【発明を実施するための最良の形態】
【０００６】
本発明実施例１は、図１−１乃至図１−９に示されている。また、本発明実施例２は、図２−１及び図２−２に示されている。また、本発明実施例３は、図３−１及び図３−２に示されている。
【実施例１】
【０００７】
本発明実施例１が図１−１乃至図１−９に示されている。
本発明実施例１の蔓状植物の切除具は、鋸刃１０と把手２０とを備えている。
鋸刃１０は、厚み０．５〜３．０ミリメートルのポリカーボネイト樹脂薄板製で、図１−１に示すように、先端が三角形の長方形で、下辺にスライド部１３とスライド部１３より内側に設けた引き切り刃部１２が形成されており、３枚の鋸刃１０が並列配置され、後端部を把手２０に固着されている。
把手２０は、断面直方形の木製又は合成樹脂製の棒状体２１で、３枚の鋸刃１０の後端をはさみ込んで固着されている。
鋸刃は、図１−２に示すように、１枚の鋸刃１０を把手２０に固着したものでもよい。
また、図１−３及び図１−４に示すように、鋸刃１０の刃部１２に対して把手２１Ｂ又は２１Ｃが直立又は斜立しているものでもよい。
従って、蔓状植物の切除具を使用するときは、図１−５及び図１−６に示すように、メッシュフェンス６０等に絡んだ蔓５０に、鋸刃１０の刃部１２を引掛けて引けば、フェンス６０の網に切り傷や塗装剥離等を生じることなく、蔓５０の切断と除去ができる。
また、フェンス６０の網が、３枚の鋸刃１０のいづれかの間にはまりこむように、鋸刃１０を近づければ、網に絡んだ蔓５０を、細かく、切断と除去ができる。
さらに、蔓状植物の切除具を使用するときは、図１−７に示すように、ネットフェンス７０等に絡んだ蔓５０に、鋸刃１０の刃部１２を引掛けて引けば、ネットフェンス７０の網に切り傷や塗装剥離等を生じることなく、蔓５０の切断と除去ができる。
ネットフェンス７０の網に絡んだ蔓５０は、図１−８に示すように、網７０と刃部１２との間にはさんで引けば、確実に切断できる。図１−９に示すものは、把手２０Ｃが斜立しているので使い易い。
【実施例２】
【０００８】
本発明実施例２が図２−１及び図２−２に示されている。
本発明実施例２の蔓状植物の切除具は、鋸刃１０Ｂと把手２０とを備えている。
把手２０は、実施例１と同一であるので、詳細説明は省略する。
鋸刃１０Ｂは、スライド部１３Ｂとその内側に設けた刃部１２Ｂが押し切り刃とからなり、スライド部１３Ｂは、実施例１と同一であるので、詳細説明は省略する。
刃部１２Ｂは、把手を押して切断除去できるようにしたもので、蔓状植物の絡み付き又は付着状況により使用に便利なものである。
【実施例３】
【０００９】
本発明実施例３が図３−１及び図３−２に示されている。
本発明実施例３の蔓状植物の切除具は、鋸刃１０Ｃと把手２０とを備えている。
把手２０は、実施例１と同一であるので、詳細説明は省略する。
鋸刃１０Ｃは、スライド部１３Ｃとその内側に設けた刃部１２Ｃが三角の両側に引き切り刃と押し切り刃を設けた三角刃とからなり、スライド部１３Ｃは、実施例１と同一であるので、詳細説明は省略する。
刃部１２Ｃは、把手を引き又は押して切断除去できるようにしたもので、蔓状植物の絡み付き又は付着により使用に便利なものである。
【産業上の利用可能性】
【００１０】
本発明の蔓状植物の切除具は、構造簡単で安価に量産でき、廃棄時には、合成樹脂鋸刃のため、焼却処理ができるものが多い。
【図面の簡単な説明】
【００１１】
【図１−１】本発明実施例の蔓状植物の切除具を示す斜視図である。
【図１−２】別の本発明実施例の蔓状植物の切除具を示す斜視図である。
【図１−３】さらに別の本発明実施例の蔓状植物の切除具を示す斜視図である。
【図１−４】さらに別の本発明実施例の蔓状植物の切除具を示す斜視図である。
【図１−５】本発明実施例の蔓状植物の切除具の使用状態説明図である。
【図１−６】別の本発明実施例の蔓状植物の切除具の使用状態説明図である。
【図１−７】さらに別の本発明実施例の蔓状植物の切除具の使用状態説明図である。
【図１−８】さらに別の本発明実施例の蔓状植物の切除具の使用状態説明図である。
【図１−９】さらに別の本発明実施例の蔓状植物の切除具の使用状態説明図である。
【図２−１】さらに別の本発明実施例の蔓状植物の切除具を示す斜視図である。
【図２−２】さらに別の本発明実施例の蔓状植物の切除具を示す斜視図である。
【図３−１】さらに別の本発明実施例の蔓状植物の切除具を示す斜視図である。
【図３−２】さらに別の本発明実施例の蔓状植物の切除具を示す斜視図である。
【符号の説明】
【００１２】
１０、１０Ｂ、１０Ｃ          鋸刃
１１、１１Ｂ、１１Ｃ          合成樹脂薄板
１２、１２Ｂ、１２Ｃ          刃部
１３                          スライド部
２０                          把手
【図１−１】
2010142168.tif 000003
【図１−２】
2010142168.tif 000004
【図１−３】
2010142168.tif 000005
【図１−４】
2010142168.tif 000006
【図１−５】
2010142168.tif 000007
【図１−６】
2010142168.tif 000008
【図１−７】
2010142168.tif 000009
【図１−８】
2010142168.tif 000010
【図１−９】
2010142168.tif 000011
【図２−１】
2010142168.tif 000012
【図２−２】
2010142168.tif 000013
【図３−１】
2010142168.tif 000014
【図３−２】
2010142168.tif 000015